(57)【要約】本発明は、それぞれが個々の制御部材（２１２、２１３、２１４及び２１５）を持つ、信号を制御及びミキシングするための装置（２００）に関する。既知のミキサ装置（１００）においては、入力信号のレベルの出力信号への直接の移転は直接に見られることができない。それ故、それぞれの入力信号に対応する制御部材（２１２、２１３、２１４及び２１５）が、入力信号の出力信号への直接の移転を示すことが提案される。１つの主制御部材（２１１）によって全体としての前記出力信号のレベルを制御することが提案される。主制御部材（２１１）が移動され、前記出力信号のレベルを制御する場合には、それぞれの前記入力信号に対応する制御部材（２１２、２１３、２１４及び２１５）が該主制御部材と共に移動し、前記出力信号における前記個々の入力信号の制御レベルの間の関係を保つ。本発明は方法及び記録担体（５１０）にも関する。
2005506784.tif 000002
【特許請求の範囲】
【請求項１】
制御可能な信号用の少なくとも２つの入力部と、
前記制御可能な信号を有する出力信号を供給するための出力部と、
前記出力信号のレベルを制御するように構成された可動の主制御部材と、
前記出力信号中の前記制御可能な信号の相互のレベルの間の比率を制御するための、複数の前記制御可能な信号の各制御可能な信号用の個々の可動の制御部材と、
を有し、動作中において前記出力信号のレベルを制御するとき、前記出力信号中の前記制御可能な信号のレベルの間の比率が等しいままである、信号レベルを制御するための装置であって、
前記装置は更に、個々の前記制御部材が前記主制御部材と結合され、これにより、前記可動の主制御部材を移動することによって前記出力信号のレベルを決定するとき、前記制御可能な信号の相互のレベルの間の比率が等しいままであるように、前記個々の可動の制御部材が前記主制御部材と共に移動するように構成され、
前記出力信号中の前記制御可能な信号のレベルの移転が、前記個々の制御部材の位置から直接に読み取り可能であることを特徴とする装置。
【請求項２】
前記装置は更に、利用時に、前記可動の主制御部材が第１の方向に移動されたときにのみ前記個々の制御部材が前記可動の主制御部材と共に移動し、前記可動の主制御部材が第２の反対の方向に移動されたときには前記個々の制御部材は前記可動の主制御部材と共に移動しないことを特徴とする、請求項１に記載の装置。
【請求項３】
出力信号のレベルが可動の主制御部材によって制御され、前記出力信号はそれぞれが個々の可動の制御部材を持つ制御可能な信号を有し、前記可動の主制御部材によって前記出力信号を制御するとき、前記出力信号中の前記制御可能な信号のレベルの間の比率は等しいままである、信号レベルを制御する方法であって、
前記個々の制御部材は前記主制御部材に結合され、これにより前記可動の主制御部材を移動することによって前記出力信号のレベルを制御するとき、前記個々の制御部材は前記可動の主制御部材と共に移動し、前記制御可能な信号のレベルの移転が、前記個々の制御部材の位置によって直接に示されることを特徴とする方法。
【請求項４】
前記可動の主制御部材が第１の方向に移動されたときにのみ前記個々の制御部材が前記可動の主制御部材と共に移動し、前記可動の主制御部材が第２の反対の方向に移動されたときには、前記個々の制御部材は前記可動の主制御部材と共に移動しないことを特徴とする、請求項３に記載の方法。
【請求項５】
プロセッサによって実行されることが可能な命令を有する記録担体であって、前記命令は前記プロセッサが請求項３に記載の方法を実行することを可能とすることを特徴とする記録担体。
【発明の詳細な説明】
【技術分野】
【０００１】
本発明は、請求項１の前段部分に定義されたような装置に関する。
【０００２】
本発明は、請求項３の前段部分に定義されたような方法に関する。
【０００３】
本発明は更に、請求項５の前段部分に定義されたような記録担体に関する。
【背景技術】
【０００４】
かような装置の実施例は図１に示され、当業者には、例えば音声信号のミキサとして知られている。
【発明の開示】
【発明が解決しようとする課題】
【０００５】
かような装置の欠点は、入力信号の制御値と出力信号の制御値との間に直接の関係がないことである。この関係を取得するためには、前記入力信号及び前記出力信号の制御値は互いに乗算されなければならない。
【０００６】
本発明の目的は、よりユーザフレンドリな装置を提供することにある。
【課題を解決するための手段】
【０００７】
本発明によればこの目的は、前記装置が更に、個々の前記制御部材が前記主制御部材と結合され、これにより、前記可動の主制御部材（member）を移動することによって前記出力信号のレベルを決定するとき、前記制御可能な信号の相互のレベルの間の比率が等しいままであるように、前記個々の可動の制御部材が前記主制御部材と共に移動するように構成され、前記出力信号中の前記制御可能な信号のレベルの移転（transfer）が、前記個々の制御部材の位置から直接に読み取り可能であることを特徴とする装置を用いて達成される。
【０００８】
かような装置の利点は、ユーザが前記装置上で直接に入力信号から出力信号への移転を読み取ることができることである。更に、前記入力信号の存在のレベル間の比が主信号において保たれつつ、前記出力信号のレベルが制御されることもできる。
【０００９】
本発明による方法は、前記個々の制御部材は前記主制御部材に結合され、これにより前記可動の主制御部材を移動することによって前記出力信号のレベルを制御するとき、前記個々の制御部材は前記可動の主制御部材と共に移動し、前記制御可能な信号のレベルの移転が、前記個々の制御部材の位置によって直接に示されることを特徴とする。
【００１０】
本発明による記録担体は、命令が、プロセッサが請求項３に記載の方法を実行することを可能とすることを特徴とする。
【００１１】
本発明のこれらの及び他の態様は以下に説明する実施例より明らかとなり、該実施例を参照しながら説明されるであろう。
【発明を実施するための最良の形態】
【００１２】
図１は先行技術より知られる実施例として装置１００を示す。装置１００は当業者にはミキサとして知られる。かような混合は複数の入力信号を１以上の出力信号にミキシングするために利用される。前記信号は音声、及び例えばシステムのための制御信号をも有し得る。装置１００は第１の入力信号用の第１の入力部１０２、第２の入力信号用の第２の入力部１０３、第３の入力信号用の第３の入力部１０４、及び第４の入力信号用の第４の入力部１０５を持つ。装置１００はまた、出力信号を供給するための出力部１０１を持つ。これらの出力部は例えばプラグであっても良いが、これらの出力部は他のいずれの知られた接続によっても形成されて良いことは当業者には知られている。第１の制御部材１１２、第２の制御部材１１３、第３の制御部材１１４及び第４の制御部材１１５によって、それぞれ前記第１の入力信号、前記第２の入力信号、前記第３の入力信号及び前記第４の入力信号の前記出力信号中の存在の比率が制御される。更に主制御部材１１１が前記出力信号のレベルを制御する。前記信号はユーザによっても、また更なる装置によっても制御されて良く、前記更なる装置の更なる入力１３０は装置１００に接続される。
【００１３】
前記４つの入力信号の１つが装置１００によって前記出力信号へと伝送される最終的な移転を決定するため、主制御部材１１１の位置及び前記入力信号の制御部材１１２乃至１１５の位置が読み取られるべきであり、次いで全体の移転が計算されるべきである。便宜上、目盛り１２０が装置１００の各制御部材と共に示される。目盛り１２０は、それぞれが２つの小単位に分割された１０個の単位を持つ。このようにして、例えば第３の入力信号の移転が計算されることができる。前記第３の制御部材は４０％にあって、主制御部材は８０％にある。前記第３の入力信号の移転は従って８０％だけ乗算された４０％であり、それ故３２％である。従って、入力信号から出力信号への直接の移転は装置１００からは直接に読み取ることができない。
【００１４】
図２Ａは本発明の実施例として装置２００を示す。装置２００は、第１の入力信号用の第１の入力部２０２、第２の入力信号用の第２の入力部２０３、第３の入力信号用の第３の入力部２０４、及び第４の入力信号用の第４の入力部２０５を持つ。更に、装置２００は出力信号を供給するための出力部２０１を持つ。これらの出力部は例えばプラグであっても良いが、これらの出力部は他のいずれの知られた接続の形態をとっても良いことは当業者には知られている。第１の制御部材２１２、第２の制御部材２１３、第３の制御部材２１４及び第４の制御部材２１５によって、それぞれ前記第１の入力信号、第２の入力信号、第３の入力信号及び第４の入力信号の前記出力信号中の存在の比率が制御される。前記出力信号は従って前記入力信号の重み付けされた合計である。ここで前記出力信号における前記入力信号の重みは、第１の制御部材２１２、第２の制御部材２１３、第３の制御部材２１４及び第４の制御部材２１５によって決定される。装置２００はまた主制御部材２１１を持つ。
【００１５】
装置２００は、前記入力信号の前記出力信号への移転が制御部材２１２乃至２１５によって直接制御されるように構成される。前記入力信号の前記出力信号への移転は従って、前記制御部材が位置している位置における目盛り２２０において直接読み取られることができる。
【００１６】
前記出力信号中の前記入力信号のレベルの間の比率を乱すことなく前記出力信号のレベルを制御するために、前記主制御部材２０１が移動されることができる。本発明によれば、個々の制御部材２１２乃至２１５は前記主制御部材と共に移動し、このとき目盛り２２０において個々の制御部材２１２乃至２１５によって示される制御値の間の比率は等しく保たれる。このことは図２Ｂに示される。図２Ｂは図２Ａと同じ装置２００を示し、ここでは制御部材２１１乃至２１５のレベルが図２Ａに示された前記制御部材のレベルの半分である点が異なる。
【００１７】
主制御部材２１１のレベルを半分にすることにより、前記入力信号の制御部材２１２乃至２１５のレベルも本発明によって半分にされる。前記入力信号の制御部材２１２乃至２１５はかくして主制御部材２１１と共に両方の方向に移動する。制御部材が既に０のレベルにあるとき、即ち装置２００において目盛り２２０の最低部にある場合には例外が起こる。この場合においては、前記制御部材は前記主制御部材と共には移動しない。
【００１８】
主制御部材２１１と前記入力信号の制御部材２１２乃至２１５との間の結合は機械的であっても良い。本発明の好適な実施例においては、前記入力信号の制御部材２１２乃至２１５は互いに電気機械的に結合される。このことは、前記主制御部材２１１が移動されたときに、前記入力信号の制御部材２１２乃至２１５が該主制御部材２１１と共に移動することを意味する。
【００１９】
更なる制御部材２１２乃至２１５の１つが移動された場合には、更なる制御部材２１２乃至２１５の他のものは当該制御部材と共に移動はしない。
【００２０】
図３は、このことを実現するシステム３００を示す。システム３００は、主制御部材３１１、目盛り３２０、位置センサ３２１（例えばスライドするポテンシオメータでであっても良い）、処理ユニット３０１及びモータ３５１乃至３５４を有する。更に前記システムは、前記出力信号中の前記入力信号の間の比率を制御するための更なる制御部材を有する。該制御部材のそれぞれも位置センサを備える。これらの位置センサは位置センサ３２１と同じであり、簡単さのため図には示されていない。図示された本発明の実施例においては、システム３００は４つの更なる位置センサを備えた４つの更なる制御部材を有する。これらの位置センサの出力は信号３３１として示され、処理ユニット３０１に結合される。更に、位置センサ３２１の出力は処理ユニットに結合される。主制御部材３１１が移動されると、位置センサ３２１の出力信号が変化する。位置センサ３２１の出力信号の変化に基づき、処理ユニット３０１は前記更なる制御部材の新たな位置を計算する。前記計算は、信号３３１を介して送られる前記更なる制御部材の位置も考慮に入れる。処理ユニット３０１の出力は、前記更なる制御部材に結合されたモータ３５１乃至３５４に結合される。主制御部材３１１の移動の後、処理ユニット３０１は、前記更なる制御部材が正しい位置に位置されるように信号を４つのモータ３５１乃３５４のそれぞれに供給する。前記モータの前記更なる制御部材への伝達は、例えばギアホイール又はベルトのような、当業者には知られた方法で実行される。
【００２１】
更なる実施例においては、図２の装置２００は制御入力部２３０を持つ。好適な実施例においては、装置２００の前記制御部材はユーザによって操作される。しかしながら、代わりに装置２００を更なる装置によって駆動することも可能である。このとき前記制御部材の移動はモータ３５１乃至３５４（図３）及び主制御部材３１１（図３）によって制御され、かような実施例においては該主制御部材３１１もモータ（図示されていない）を備える。
【００２２】
好適な実施例においては、前記出力信号のレベルをそれぞれ高い又は低い値に制御するために主制御部材２１１（図２）が上方及び下方のどちらに移動されたときにも、更なる制御部材２１２乃至２１５（図２）は該主制御部材と共に移動する。更なる実施例においては、更なる制御部材２１２乃至２１５（図２）は、主制御部材２１１（図２）が下方に移動されたときにのみ主制御部材２１１（図２）と共に移動する。主制御部材２１１（図２）が他方の方向に移動された場合には、更なる制御部材２１２乃至２１５（図２）は該主制御部材と共に移動しない。
【００２３】
更に他の実施例においては、更なる制御部材２１２乃至２１５（図２）は、主制御部材２１１（図２）が上方に移動されたときにのみ主制御部材２１１（図２）と共に移動する。主制御部材２１１（図２）が他方の方向に移動された場合には、更なる制御部材２１２乃至２１５（図２）は該主制御部材と共に移動しない。
【００２４】
本発明の更なる実施例においては、主制御部材２１１（図２）は、更なる制御部材２１２乃至２１５（図２）の位置を制限する。このことは、更なる制御部材２１２乃至２１５（図２）は、主制御部材２１１（図２）の位置よりも越えて又は高く移動されることはできない。
【００２５】
図４は本発明の更なる実施例を示す。図２はスライダを持つ実施例として装置２００を示し、図４はつまみを持つ実施例として装置４００を示す。前記出力信号のレベルは、装置４００上において主制御つまみ４１１によって制御される。前記入力信号のレベルの間の比率は、更なる制御つまみ４１２、４１３及び４１４によって制御される。
【００２６】
図５は、プロセッサが本発明による方法を実行することを可能とする命令を有する、本発明による記録担体の実施例としてディスケット（登録商標）５１０を示す。記録担体５１０はコンピュータ５２０において利用されても良い。該コンピュータはパーソナルコンピュータであっても良いし、また例えばパーソナル・ディジタル・アシスタント、ディジタルテレビジョン又はＵＮＩＸ（登録商標）ワークステーションであっても良い。コンピュータ５２０は、プロセッサ５２２に接続されたディスケット（登録商標）・ステーション（diskette station）５２１を有する。プロセッサ５２２は更に、複数の入力部５２４及び出力部５２５を持つ信号処理回路５２３に接続される。ディスケット（登録商標）・ステーション５２１は、ディスケット（登録商標）５１０から情報を読み込み、該情報をプロセッサ５２２に送るように構成される。前記情報は、プロセッサ５２２によって実行されることができ、プロセッサ５２２が本発明による方法によって信号処理回路５２３を介して信号処理回路５２３の複数の入力部５２４における入力信号を制御することを可能とすることが可能な命令を有する。前記入力信号及び前記出力信号のレベルは、処理ユニット５２２に結合された入力手段５３０によってユーザによって制御されることができる。しかしながら、代わりに更なるコンピュータプログラムによって前記信号のレベルを制御することも可能である。
【００２７】
この場合において、前記信号は外部の操作パネルによって制御されることができる。しかしながら、代わりに処理ユニット５２２に結合された表示装置５４０上に制御ユニットを表示することも可能である。制御部材２１１乃至２１５（図２）は従って入力手段５３０を利用して移動されることができる。
【００２８】
図示された実施例においては、本発明による記録担体はディスケット（登録商標）５１０である。しかしながら、記録担体５１０はＣＤ−ＲＯＭ又はフラッシュカードであっても良く、またインターネットのようなＷＡＮに結合された大容量記憶装置であっても良い。しかしながら、本発明の実施例による記録担体の他の実施例が代わりに可能であり、本発明の範囲から逸脱しない。
【００２９】
要約すると本発明は、それぞれが個々の制御部材（２１２、２１３、２１４及び２１５）を持つ信号を制御及びミキシングする装置（２００）に関する。既知のミキサ装置（１００）においては、入力信号のレベルの出力信号への直接の移転は直接に見られることができない。それ故、それぞれの入力信号に対応する制御部材（２１２、２１３、２１４及び２１５）が、入力信号の出力信号への直接の移転を示すことが提案される。１つの主制御部材（２１１）によって全体としての前記出力信号のレベルを制御することが提案される。主制御部材（２１１）が移動され、前記出力信号のレベルを制御する場合には、それぞれの前記入力信号に対応する制御部材（２１２、２１３、２１４及び２１５）が該主制御部材と共に移動し、前記出力信号における前記個々の入力信号の制御レベルの間の関係を保つ。本発明は方法及び記録担体（５１０）にも関する。
【図面の簡単な説明】
【００３０】
【図１】先行技術による装置を示す。
【図２（Ａ）】本発明による装置の実施例を示す。
【図２（Ｂ）】本発明による装置の実施例を示す。
【図３】本発明による装置の実施例における利用のためのシステムを示す。
【図４】本発明による装置の更なる実施例を示す。
【図５】本発明による記録担体及びコンピュータの実施例を示す。
【国際公開パンフレット】
2005506784.tif 000003
2005506784.tif 000004
2005506784.tif 000005
2005506784.tif 000006
2005506784.tif 000007
2005506784.tif 000008
2005506784.tif 000009
2005506784.tif 000010
2005506784.tif 000011
2005506784.tif 000012
2005506784.tif 000013
2005506784.tif 000014
【国際公開パンフレット（コレクトバージョン）】
2005506784.tif 000015
【国際調査報告】
2005506784.tif 000016
2005506784.tif 000017